(57)【要約】【課題】腕時計本体を時計バンドで腕に装着した場合、又は、時計バンド及び先かん部材に外力が加わった場合でも、腕時計本体と先かん部材の密着面に隙間を生じさせない時計バンド取付け構造を提供する事を目的とする。【解決手段】腕時計本体１と時計バンド４との間に設けられた先かん部材２と、この先かん部材２を覆うカバー部材３と、前記腕時計本体１と前記先かん部材２と前記カバー部材３とを連結する連結部材２０ａとで構成され、前記カバー部材３は、前記腕時計本体１の裏面の一部と当接する突起部１３を備えている。【選択図】　　　図２
2004144536.tif 000002
【特許請求の範囲】
【請求項１】
機器本体とバンドとの間に設けられた先かん部材と、
この先かん部材を覆うカバー部材と、
前記機器本体と前記先かん部材と前記カバー部材とを連結する連結部材と、
を備え、前記カバー部材には、前記機器本体の裏面の一部と当接する突起部が形成されていることを特徴とするバンド取付け構造。
【請求項２】
前記機器本体の裏面には、裏蓋とこの裏蓋に配置された裏面カバーとが備られており、前記突起部は前記裏面カバーの一部に当接することを特徴とする請求項１記載のバンド取付け構造。
【請求項３】
前記突起部は、複数有することを特徴とする請求項１又は、請求項２記載のバンド取付け構造。
【発明の詳細な説明】
【０００１】
【発明の属する技術分野】
本発明は、機器本体とバンドを連結するバンド取付け構造に関する。
【０００２】
【従来の技術】
従来、腕時計本体と時計バンドを連結する構造として、腕時計本体と時計バンドの密着面に隙間が出来ない様に腕時計本体と時計バンドを２本のばね棒で取付ける様にしたものがある。即ち、ばね棒を２本用いることにより、ばね棒を軸に時計バンドが回動することを防止し、腕時計本体と時計バンドの密着面に隙間が出来ない様にしたものである（例えば、特許文献１参照。）。
また、バンド取付け部に軟質樹脂から成る部材を用いて取付けを強固にしたものがある（例えば、特許文献２参照。）。
【０００３】
図５は前記特許文献２の構成を簡易に図示化したもので右半分は断面図、左半分は外観図となっている。
【０００４】
時計本体５０と軟質樹脂からなる先かんカバー（先かん部材）５１と時計バンド５２とから成る構成であって、前記時計本体５０はバンド取付部５３、５３にばね棒５４の係止孔５５を備えている。尚、断面図側においては係止孔５５はばね棒５４に対応する位置に形成されている（図示せず）。前記先かんカバー５１は前記係止孔５５に対応した位置に貫通孔５６が貫通されており前記ばね棒５４で時計本体５０に係止される。前記時計バンド５２は前記先かんカバー５１の凹部５７に差し込まれ、先かんカバー５１の凹部５７の幅方向に開けられたバンド取付孔（図示せず）と前記時計バンド５２の端部に形成された貫通孔５８との間にばね棒（図示せず）が取付けられ、ばね棒の両端は前記時計本体５０の裏蓋５９側から前記先かんカバー５１に嵌合された金属の固定部材６０の係止孔６１により係止される。また、先かんカバー５１の左端には緩衝部突起６２が裏蓋５９に当接する様に設けられていて、先かんカバー５１の回動を防止する様になっている。
【０００５】
【特許文献１】
特開平１０−２６２７１０号公報
【特許文献２】
特開２００２−３４６１７号公報
【０００６】
【発明が解決しようとする課題】
しかしながら、図５に示す構造では前記先かんカバー５１が軟質樹脂で形成されているため、前記時計バンド５２を腕に装着した場合、又は、前記時計バンド５２及び前記先かんカバー５１に外力が加わった場合、前記貫通孔５６、前記係止孔５５を軸にして前記裏蓋５９に当接している緩衝部突起６２の周辺部が変形して先かんカバー５１が回動し、前記腕時計本体５０と前記先かんカバー５１の密着面６３に隙間を生じさせ、この隙間にゴミ等が挟まったりする欠点があり、また腕装着時に隙間が生じる為、外観品質が悪いものになっていた。
【０００７】
本発明は、このような従来の問題点を考慮してなされたものであり、腕への装着時やバンドに外力が加わった場合でも、機器本体のバンド取付け部と先かん部材の密着面に隙間が出来ない構造を提供することを目的とする。
【０００８】
【問題点を解決するための手段】
上記目的を達成するため、請求項１の発明は、機器本体とバンドとの間に設けられた先かん部材と、この先かん部材を覆うカバー部材と、前記機器本体と前記先かん部材と前記カバー部材とを連結する連結部材とを備え、前記カバー部材には、前記機器本体の裏面の一部と当接する突起部が形成されていることを特徴とする。
【０００９】
この構造では、バンドを腕に装着した場合、バンドには腕の内側に力が加えられると共に、カバー部材にも腕の内側に力が加わり、機器本体と先かん部材とカバー部材とを連結する連結部材を軸に回動する力が作用する。しかしながらカバー部材の突起部が機器本体の裏面に当接することによって回動を防止出来るので、機器本体と先かん部材の密着面、及び先かん部材とカバー部材の密着面に隙間が生じることなく、また外観品質も損なう事が無くなる。
【００１０】
請求項２の発明は、前記機器本体の裏面には、裏蓋とこの裏蓋に配置された裏面カバーとが備えられており、前記突起部は前記裏面カバーの一部に当接することを特徴とする。
【００１１】
この構造では、裏面カバーはねじで機器本体の裏蓋側に固定する必要がない為、ねじの位置による形状の制約が無くなり腕への装着性の良い形状にできる。
【００１２】
請求項３の発明は、前記突起部は、複数有することを特徴とする。
【００１３】
この構造では、突起部が複数あることにより回転防止機能がより強く働き、また裏面カバーを幅広く固定できる。さらに、カバー部材の強度も向上する。
【００１４】
【発明の実施の形態】
以下に、本発明のそれぞれの実施の形態を図面を参照して説明する。
【００１５】
図１、図２は本発明の第１の実施の形態であり、図１は正面図のバンド取付け部の分解図を示している。図２は時計バンド取付け構造の断面図と外観図を示している。
【００１６】
図１に示す様に本実施の形態のバンド取付け構造は腕時計本体１と、軟質樹脂から成る先かん部材２と、金属から成るカバー部材３と、時計バンド４とを備えている。
【００１７】
図２に示す様に腕時計本体１は内部に時計機能を司る内部部品５を収納する金属又は硬質樹脂からなる時計ケース６と、この時計ケース６を覆う様に取付けられた軟質樹脂製のベゼル７と、金属製の裏蓋８とから構成されており、時計ケース６には先かん部分に貫通孔９が形成されており、また、先かん部分中央には斜め上方に突出するフック１０が形成されている。
【００１８】
腕時計本体１と時計バンド４との間には、前記先かん部材２が設けられており、この先かん部材２には前記時計ケース６の前記貫通孔９に対応する位置に貫通孔１１、１１（図１参照）が設けられている。また、先かん部材２の内部には前記フック１０に係合するフック係合穴１２が形成されており、更に下部左側には裏蓋８に当接する舌片部１３が形成されており、この舌片部１３の中央部には舌片部孔１４が設けられている。
【００１９】
前記カバー部材３は前記先かん部材２を覆う様に設けられており、このカバー部材３には先かん部材２の前記貫通孔１１、１１に対応する位置に係止孔１５、１５（図２左側）が設けられており、この係止孔１５、１５の下方の中央には突起部１６（図１参照）が形成されている。また、前記係止孔１５、１５の左下側には時計バンド４の端部に設けられた貫通孔１７と対応する位置に係止孔１８、１８が設けられている。更に、前記カバー部材３には前記時計バンド４を組込むためのバンド差込孔１９が形成されている。
【００２０】
前記腕時計本体１と前記先かん部材２と前記カバー部材３とは前記貫通孔９に挿入された両端部に内臓ばね（図示せず）で外側に付勢された可動軸（図示せず）を有する連結部材２０ａを介して前記貫通孔１１、１１と前記係止孔１５、１５とを貫通し連結されている。また、前記連結部材２０ａによって組み立てられた時に前記突起部１６は前記舌片部孔１４を貫通し前記裏蓋８に金属の弾性力によって押圧された状態で当接している。更に、前記時計バンド４はこの時計バンド４の端部の設けられた前記貫通孔１７に挿入された連結部材２０ｂを介して結合されている。
【００２１】
上記の構成によれば、前記カバー部材３は前記腕時計本体１の前記貫通孔９の外側に配置されたフック１０に前記先かん部材２のフック係合穴１２が係合し、先かん部材２と腕時計本体１の外周面が密着面２１で密着するように取付けられている。また、前記カバー部材３の前記突起部１６は腕時計本体１の前記裏蓋８側の前記舌片部１３の一部に形成された前記舌片部孔１４を貫通し腕時計本体１の裏蓋８の一部に弾性的に当接され、腕時計本体１と先かん部材２前記の密着面２１と、さらに前記先かん部材２と前記カバー部材３の密着面２２に隙間が出来ないように構成されている。
【００２２】
従って、軟質樹脂から成る前記先かん部材２は金属から成る前記カバー部材３で補強され、さらに前記突起部１６が前記裏蓋８に当接している為、前記貫通孔９を軸に回動することも無く、変形もしないため前記密着面２１及び前記密着面２２には隙間が生じない。従って、外観品質も損なう事が無くなる。また、前記突起部１６は前記舌片部１３の内側に入り込む為腕に直接触れることは無い。
【００２３】
図３、図４は本発明の第２の実施の形態であり、第１の実施の形態と同一構成部には同一符号を付して詳細な説明は省略する。図３は正面図のバンド取付け部の分解図を示している。図４は時計バンド取付け構造の断面図と外観図を示している。
【００２４】
図４の断面図に示す様に、カバー部材３には２つの突起部２３、２３（図３参照）が設けられており、この突起部２３，２３は先かん部材２の舌片部１３の一部に形成された舌片部孔２５、２５を貫通し腕時計本体１の裏蓋８の下方に配置された裏面カバー２４の一部に当接している。裏面カバー２４は腕時計本体１を外部衝撃から保護する目的で取付けられているもので合成樹脂から構成されている。
【００２５】
従って、軟質樹脂から成る前記先かん部材２は金属から成る前記カバー３で補強され、さらに前記突起部２３，２３が前記裏蓋８の下方に配置された前記裏面カバー２４に当接している為、貫通孔９を軸に回動することなく、変形もしないため前記密着面２１及び前記密着面２２には隙間が生じない。従って、外観品質も損なう事が無くなる。また、前記裏面カバー２４は前記突起部２３、２３により前記裏蓋８に固定保持される構造のため、ねじ孔等の形状の制約が無くなり腕への装着性の良い形状にできる。また、前記突起部２３、２３は前記舌片部１３の内側に入り込む為腕に直接触れることは無い。
【００２６】
尚、本発明は各実施の形態例に限定されるものではなく、本発明の趣旨を逸脱しない範囲で適宣変更可能である。例えば、カバー部材３は硬質の樹脂製でも良く、時計ケース６とベセル７は一体構造でも良い。また、本発明は腕時計のバンド取付け構造に限定されるものではなく、例えば、腕に装着されるデジタルカメラ、ラジオ、テレビ等のバンド取付け構造に適用できるものである。
【００２７】
【発明の効果】
以上のように、機器本体をバンドで腕に装着した場合、バンドには腕の内側に力が加えられると共に、カバー部材にも腕の内側に力が加わり機器本体と先かん部材とカバー部材とを連結する連結部材を軸に回動する力が作用する。しかしながら、機器本体の裏蓋にカバー部材の突起部が当接している為に回動が止められ、カバー部材で覆われている先かん部材は変形せず、機器本体と先かん部材の密着面と、さらに先かん部材とカバー部材の密着面に隙間が生じない。従って、隙間にゴミ等が挟まったりしなくなり、外観品質も損なう事が無くなる効果を有する。
【００２８】
また、機器本体に裏面カバーを設ける場合、裏面カバーはねじで機器本体の裏蓋側に固定する必要がない為、ねじの位置による形状の制約が無くなり腕への装着性の良い形状にできる効果を有する。
【００２９】
更に、カバー部材の突起部を複数設けることにより固定を強固にし、カバー部材の強度も向上する効果を有する。
【図面の簡単な説明】
【図１】第１の実施の形態の正面図のバンド取付け部の分解図である。
【図２】第１の実施の形態の断面図である。
【図３】第２の実施の形態の正面図のバンド取付け部の分解図である。
【図４】第２の実施の形態の断面図である。
【図５】従来技術の実施の形態の断面図である。
【符号の説明】
１　　腕時計本体
２　　先かん部材
３　　カバー部材
４　　時計バンド
８　　裏蓋
９、１１　　貫通孔
１３　　舌片部
１４、２５　　舌片部孔
１５、１８　　係止孔
１６、２３　　突起部
２０ａ，２０ｂ　　連結部材
２１、２２　　密着面
２４　　裏面カバー
【図１】
2004144536.tif 000003
【図２】
2004144536.tif 000004
【図３】
2004144536.tif 000005
【図４】
2004144536.tif 000006
【図５】
2004144536.tif 000007